(57)【要約】【課題】磁気計測を行う磁気シールド空間に加え、計測に必要な付帯設備を置く磁気シールド空間を備える、磁気シールドルームを提供する。【解決手段】磁気シールドルーム１は、磁気シールドされた内部空間を形成する上部シールド体１１、側周部シールド体１２、及び下部シールド体１３を備え、前記内部空間が、磁気シールド体である仕切り部材１５によって第１及び第２内部空間に分割されている。磁気シールド体である扉２０は前記第１及び第２内部空間に共通に設けられている。【選択図】図１
2018093060.tif 000002
【特許請求の範囲】
【請求項１】
磁気シールドされた内部空間を形成する上部シールド体、側周部シールド体、及び下部シールド体を備え、
前記内部空間が、磁気シールド体である仕切り部材によって第１及び第２内部空間に分割されている、磁気シールドルーム。
【請求項２】
前記第１及び第２内部空間に共通に設けられた磁気シールド体である扉と、
前記第２内部空間の前記扉側の開口を塞ぐ磁気シールド体である着脱又は開閉自在な蓋と、を備える、請求項１に記載の磁気シールドルーム。
【請求項３】
前記第１及び第２内部空間の各々に対して別々に設けられた磁気シールド体である第１及び第２扉を開閉自在に備える、請求項１に記載の磁気シールドルーム。
【請求項４】
前記上部シールド体、前記側周部シールド体、前記下部シールド体及び前記仕切り部材のいずれかの磁気シールド体に貫通穴が設けられ、
前記貫通穴は、内面の少なくとも一部に貫通導体が設けられ、前記貫通導体が、前記磁気シールド体が有する導体板に導通されている、請求項１から３のいずれか一項に記載の磁気シールドルーム。
【請求項５】
前記下部シールド体の下面に、前記下部シールド体よりも高剛性の台座が設けられ、
前記台座の底面に、床面上を移動させるための移動手段が設けられている、請求項１から４のいずれか一項に記載の磁気シールドルーム。
【請求項６】
前記移動手段はストッパ付き移動手段である、請求項５に記載の磁気シールドルーム。
【請求項７】
前記上部シールド体、前記側周部シールド体、前記下部シールド体及び前記仕切り部材が、前記台座と導通されている、請求項５又は６に記載の磁気シールドルーム。
【発明の詳細な説明】
【技術分野】
【０００１】
本発明は、各種磁気計測に用いられる磁気シールドルームに関する。
【背景技術】
【０００２】
従来の磁気シールドルームでは、下記特許文献１に示されるように、内部空間を夫々高透磁率材料で構成されている上部部材（天井部材とも称される）と、側周部材（壁部材とも称される)と、下部部材（床部材とも称される）とで取り囲み、外部の環境磁場から上記内部空間を遮断し、上記内部空間に低磁場を造り出していた。磁気シールドルームは、心磁図の計測にも用いられている（下記特許文献２）。
【先行技術文献】
【特許文献】
【０００３】
【特許文献１】特開２００８−４２１２８号公報
【特許文献２】特開２０１６−１０１２６４号公報
【発明の概要】
【発明が解決しようとする課題】
【０００４】
特許文献２に示されるように、従来、磁気センサを駆動する電源ユニットや計測回路制御部等の付帯設備は、それ自身がノイズ源となる。例えば、電源ユニットや計測回路制御部に接続されているケーブル類から磁場ノイズ（例えば５０Ｈｚ又は６０Ｈｚの商用電源に起因するハムノイズ）などが発生する。このために、それらの付帯設備は磁気シールドルームの外に配置していた。このため、磁気シールドルームを持ち運んで使用する場合には、毎回付帯設備を磁気シールドルーム外に設置する作業が必要となり、煩雑であった。
【０００５】
本発明はこうした状況を認識してなされたものであり、その目的は、磁気計測を行う空間に加え、計測に必要な付帯設備を置く空間を備える、磁気シールドルームを提供することにある。
【課題を解決するための手段】
【０００６】
本発明のある態様は磁気シールドルームである。この磁気シールドルームは、磁気シールドされた内部空間を形成する上部シールド体、側周部シールド体、及び下部シールド体を備え、前記内部空間が、磁気シールド体である仕切り部材によって第１及び第２内部空間に分割されていることを特徴とする。
【０００７】
前記態様において、前記第１及び第２内部空間に共通に設けられた磁気シールド体である扉と、前記第２内部空間の前記扉側の開口を塞ぐ磁気シールド体である着脱又は開閉自在な蓋と、を備えるとよい。
【０００８】
前記態様において、前記第１及び第２内部空間の各々に対して別々に設けられた磁気シールド体である第１及び第２扉を開閉自在に備えるとよい。
【０００９】
前記態様において、前記上部シールド体、前記側周部シールド体、前記下部シールド体及び前記仕切り部材のいずれかの磁気シールド体に貫通穴が設けられ、前記貫通穴は、内面の少なくとも一部に貫通導体が設けられ、前記貫通導体が、前記磁気シールド体が有する導体板に導通されているとよい。
【００１０】
前記態様において、前記下部シールド体の下面に、前記下部シールド体よりも高剛性の台座が設けられ、前記台座の底面に、床面上を移動させるための移動手段が設けられているとよい。
【００１１】
前記移動手段はストッパ付き移動手段であるとよい。
【００１２】
前記上部シールド体、前記側周部シールド体、前記下部シールド体及び前記仕切り部材が、前記台座と導通されているとよい。
【００１３】
。
なお、以上の構成要素の任意の組合せ、本発明の表現を方法やシステムなどの間で変換したものもまた、本発明の態様として有効である。
【発明の効果】
【００１４】
本発明によれば、磁気計測を行う空間に加え、計測に必要な付帯設備を置く空間を備える、磁気シールドルームを提供することができる。
【図面の簡単な説明】
【００１５】
【図１】本発明に係る磁気シールドルームの実施の形態１を示す正面左上方向からみた斜視図。
【図２】同じく正面右上方向からみた斜視図。
【図３】同じく背面左上方向からみた斜視図。
【図４】同じく背面右上方向からみた斜視図。
【図５】同じく底面左下方向からみた斜視図。
【図６】実施の形態１における付帯設備の配置状況を示す正面左方向からみた部分斜視図。
【図７】同じく正面上方向からみた部分斜視図。
【図８】実施の形態１における測定対象及び付帯設備の配置状況を示す正面上方向からみた斜視図。
【図９】実施の形態１において、付帯設備を配置した内部空間の開口を蓋で遮蔽（シールド）した状態の正面上方向からみた部分斜視図。
【図１０】実施の形態１のシールド体に形成される貫通穴の構造を示す断面図。
【図１１】本発明の実施の形態２を示す正面左上方向からみた斜視図。
【図１２】同じく正面左下方向からみた斜視図。
【図１３】同じく背面左上方向からみた斜視図。
【発明を実施するための形態】
【００１６】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１７】
図１乃至図９を用いて本発明に係る磁気シールドルームの実施の形態１を説明する。これらの図において、磁気シールドルーム１は、上部シールド体１１、側周部シールド体１２、下部シールド体１３、及び側面開口を開閉する扉２０を有し、さらに、これらにより形成される内部空間を、図７及び図８のように第１及び第２内部空間Ｓ１，Ｓ２に分割する仕切り部材１５、及び第２内部空間Ｓ２の扉側の開口を塞ぐ着脱又は開閉自在な蓋１６を有する。仕切り部材１５は下部シールド体１３と略平行であって前記内部空間を上下に分割する。上部シールド体１１、側周部シールド体１２、下部シールド体１３、仕切り部材１５、蓋１６及び扉２０は、磁場ノイズ及び電磁波ノイズを遮蔽できる磁気シールド体であり、例えば、高透磁率磁性体かつ導体としてのパーマロイ板と、導体としてのアルミニウム板とで非磁性材（木材等）を挟んで積層した積層パネル構造である。パーマロイ板は磁場ノイズの遮蔽に有効であり、アルミニウム板は高周波の電磁波ノイズの遮蔽に有効である。パーマロイ板やアルミニウム板自体も複数枚貼り合わせた積層構造にすると遮蔽率が向上していっそう好ましい。なお、上部シールド体１１、側周部シールド体１２、下部シールド体１３及び仕切り部材１５は、それらを構成する磁気シールド体の導体同士が相互に電気的に接続されていることが好ましい。また、扉２０は第１及び第２内部空間Ｓ１，Ｓ２に共通に設けられており、一枚の扉でもよいが、本実施の形態では左扉２１と右扉２２とからなる観音開き扉であり、図示しないヒンジで側周部シールド体１２の左右の開口縁部に開閉自在に連結されている。
【００１８】
第１内部空間Ｓ１は、上部シールド体１１、仕切り部材１５及び側周部シールド体１２、及び閉じた状態の扉２０で囲まれる空間であって、第２内部空間Ｓ２よりも容積が大きく、図８のように測定対象３０が配置されるとともに測定対象３０を測定する磁気センサ等の測定機器（図示せず）が配置される。第２内部空間Ｓ２は、下部シールド体１３、仕切り部材１５、側周部シールド体１２の下部、及び閉じた状態の蓋１６で囲まれる空間であって、第１内部空間Ｓ１よりも容積が小さく、蓋１６が開いた状態である図７に示すように、電源ユニット、各種計測制御ユニット等の付帯設備４０が設置される。蓋１６は第２内部空間Ｓ２の扉２０側の開口を塞ぐように着脱自在又は開閉自在に設置される。
【００１９】
上部シールド体１１、側周部シールド体１２、下部シールド体１３及び仕切り部材１５のいずれかには、図８の測定対象３０を測定する磁気センサ等に接続する配線や、電源ユニット、各種計測制御ユニット等の付帯設備４０の電源コード、ケーブルを通すための貫通穴５０が形成されている。図１０に示すように、上部シールド体１１、側周部シールド体１２、下部シールド体１３及び仕切り部材１５は、パーマロイ板６１、アルミニウム板６２、及び木材等の非磁性材６３を重ねて積層した積層パネル６０であり、積層パネル６０を貫通する貫通穴５０の内周面の少なくとも一部にはパイプ状貫通導体６４が設けられている。パイプ状貫通導体６４で積層パネル６０の内面側のパーマロイ板６１及びアルミニウム板６２と、外面側のパーマロイ板６１及びアルミニウム板６２とを導通させて同電位にしている。パイプ状貫通導体６４の材質は、例えばアルミニウム、銅、パーマロイ等である。
【００２０】
下部シールド体１３の下側（下面）に、下部シールド体１３よりも高剛性（例えばステンレス等）で下部シールド体１３の底面と同寸法の台座７０が設けられ、台座７０上に下部シールド体１３が載置固定される。台座７０底面に、床面上を移動させるための移動手段としてのストッパ付きキャスター７５が少なくとも３個以上取り付けられている。上部シールド体１１、側周部シールド体１２、下部シールド体１３及び仕切り部材１５は、台座７０と導通接続されている（同電位となるように電気的に接続されている）。なお、台座７０は高剛性で非導電性の非磁性材であってもよい。
【００２１】
次に磁気シールドルーム１の使用方法について図６乃至図９を用いて説明する。図６及び図７のように、蓋１６を開けて、第２内部空間Ｓ２に電源ユニット、各種計測制御ユニット等の付帯設備４０を設置する。また、第１内部空間Ｓ１に測定対象３０を測定する磁気センサ等の測定機器を配置する。その後、測定対象３０を第１内部空間Ｓ１に配置するとともに図９のように蓋１６を閉めて第２内部空間Ｓ２の扉２０側の開口を塞ぐ。これは仕切り部材１５と扉内面との隙間を介して磁場ノイズ及び電磁波ノイズが第２内部空間Ｓ２側から第１内部空間Ｓ１側に漏洩するのを防止するためである。その後、扉２０を構成する左右左扉２１と右扉２２を閉じる。この結果、第１内部空間Ｓ１は外部に対して磁気シールドされ、外部からの磁場ノイズ及び電磁波ノイズの侵入を防止して、測定対象３０に対して所要の磁気測定等を行うことができる。
【００２２】
本実施の形態によれば、下記の効果を奏することができる。
【００２３】
(1) 磁気シールドルーム１は、磁気シールドされた内部空間を形成する上部シールド体１１、側周部シールド体１２、下部シールド体１３及び磁気シールド体である扉２０を備え、内部空間が、磁気シールド体である仕切り部材１５によって第１及び第２内部空間Ｓ１，Ｓ２に分割されている。このため、外部磁場ノイズ及び外部電磁波ノイズを遮蔽して磁気計測可能な第１内部空間Ｓ１に加えて、計測に必要な付帯設備４０を置く第２内部空間Ｓ２を設けることができる。第２内部空間Ｓ２も第１内部空間Ｓ１と同様のノイズ遮蔽性能を有する。このため、付帯設備４０を第２内部空間Ｓ２に設置することで、磁気シールドルーム１を持ち運んで使用する場合に、毎回付帯設備を磁気シールドルーム外に設置する作業を不要にでき、ひいては磁気シールドルーム１を用いた磁気計測の準備を効率的に行うことができる。また、付帯設備４０に関しても外部磁場ノイズ及び外部電磁波ノイズを遮蔽することができる。
【００２４】
(2) 第１及び第２内部空間Ｓ１，Ｓ２に対して扉２０を共通に設けた場合に、第２内部空間Ｓ２の扉２０側の開口を塞ぐ磁気シールド体である蓋１６を着脱自在又は開閉自在に設けているため、蓋１６を閉じた状態では仕切り部材１５と扉２０内面との隙間を介して磁場ノイズ及び電磁波ノイズが第２内部空間Ｓ２側から第１内部空間Ｓ１側に漏洩するのを防止することができる。
【００２５】
(3) 上部シールド体１１、側周部シールド体１２、下部シールド体１３及び仕切り部材１５のいずれかに１個又は複数個の貫通穴５０が設けられているため、図８の測定対象３０を測定する磁気センサ等の計測機器に接続する配線や、電源ユニット、各種計測制御ユニット等の付帯設備４０の電源コード、ケーブルを通すことができる。また、貫通穴５０の内面の少なくとも一部に貫通導体６４を設けて、シールド体１１，１２，１３又は仕切り部材１５の導体板（パーマロイ板６１及びアルミニウム板６２）と導通させることで、貫通穴５０からの電磁波ノイズの漏洩を少なくできる。
【００２６】
(4) 上部シールド体１１、側周部シールド体１２及び下部シールド体１３を含む磁気シールドルームの本体部分を高剛性の台座７０の上に載置、固定することで、前記本体部分の底面の重量が分散、安定し、可動時の磁気シールドルーム１の歪みを少なくできる。
【００２７】
(5) 台座７０が導体である場合、上部シールド体１１、側周部シールド体１２、及び下部シールド体１３（つまり磁気シールドルームの本体部分）と台座７０とを電気接続することで、磁気シールドルーム１を固定設置した際のアースが取りやすくなる。つまり、台座７０を外部のアース接続端子に接続すればよい。
【００２８】
図１１乃至図１３を用いて本発明に係る磁気シールドルームの実施の形態２を説明する。これらの図において、磁気シールドルーム２は、上部シールド体１１、側周部シールド体１２、下部シールド体１３、及び表側及び裏側にそれぞれ形成された側面開口１８，１９を開閉する扉２５，２６を有し、さらに、これらにより形成される内部空間を第１及び第２内部空間Ｓ１１，Ｓ１２に分割する仕切り部材１７を有する。仕切り部材１７は側周部シールド体１２と略平行であって前記内部空間を左右に分割する。上部シールド体１１、側周部シールド体１２、下部シールド体１３、仕切り部材１７及び扉２５，２６は、磁場ノイズ及び電磁波ノイズを遮蔽できる磁気シールド体であり、例えば、高透磁率磁性体かつ導体としてのパーマロイ板と、導体としてのアルミニウム板とで非磁性材（木材等）を挟んで積層した積層パネル構造である（実施の形態１と同様である）。扉２５は、第１内部空間Ｓ１１の側面開口１８を塞ぐもので、磁気シールドルーム２の正面側に位置する側面開口１８を開閉するスライド扉である。扉２６は第２内部空間Ｓ１２の側面開口１９を塞ぐもので、磁気シールドルーム２の背面側の側面開口１９を開閉するスライド扉である。扉２５，２６はスライド式の代わりに回転扉等であってもよい。
【００２９】
第１内部空間Ｓ１１は、上部シールド体１１、側周部シールド体１２、下部シールド体１３及び仕切り部材１７及び及び閉じた扉２５で囲まれる空間である。第２内部空間Ｓ１２は、上部シールド体１１、側周部シールド体１２、下部シールド体１３及び仕切り部材１７及び及び閉じた扉２６で囲まれる空間である。例えば、第１内部空間Ｓ１１に測定対象が配置され、測定対象を測定する磁気センサ等の測定機器は第２内部空間Ｓ１２に配置される。
【００３０】
実施の形態１と同様に、上部シールド体１１、側周部シールド体１２、下部シールド体１３及び仕切り部材１７のいずれかには、測定対象３０を測定する磁気センサ等に接続する配線や、電源ユニット、各種計測制御ユニット等の付帯設備の電源コード、ケーブルを通すための貫通穴５０が形成されている。図１０に示したように、貫通穴５０の内周面にはパイプ状貫通導体６４が設けられている。
【００３１】
実施の形態２の場合、左右に分割した第１及び第２内部空間Ｓ１１，Ｓ１２を有するため、各内部空間Ｓ１１，Ｓ１２の高さを大きくでき、背の高い測定対象や背の高い付帯設備を収納するのに適している。その他の構成、作用効果は前述の実施の形態１と同様である。
【００３２】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３３】
本発明の各実施の形態では、磁気シールドルームの外観が直方体形状であるが、円筒形状等の外観であってもよい。例えば、中空円筒の内部空間を上下又は左右に仕切り部材で分割する構造も可能である。また、複数の仕切り部材で内部空間を３つ以上に分割してもよい。実施の形態２においては、磁気シールドルームの正面側と背面側に扉を設けたが、分割された内部空間の開口を個別に開閉できれば、扉の配置は任意である。各実施の形態における扉は、回転式、スライド式に限定されず、内部空間の開口を開閉可能な構造であればよい。
【符号の説明】
【００３４】
１，２  磁気シールドルーム
１１  上部シールド体
１２  側周部シールド体
１３  下部シールド体
１５，１７  仕切り部材
１６  蓋
２０，２５，２６  扉
３０  測定対象
４０  付帯設備
５０  貫通穴
６０  積層パネル
７０  台座
７５  ストッパ付きキャスター
Ｓ１，Ｓ１１  第１内部空間
Ｓ２，Ｓ１２  第２内部空間
【図１】
2018093060.tif 000003
【図２】
2018093060.tif 000004
【図３】
2018093060.tif 000005
【図４】
2018093060.tif 000006
【図５】
2018093060.tif 000007
【図６】
2018093060.tif 000008
【図７】
2018093060.tif 000009
【図８】
2018093060.tif 000010
【図９】
2018093060.tif 000011
【図１０】
2018093060.tif 000012
【図１１】
2018093060.tif 000013
【図１２】
2018093060.tif 000014
【図１３】
2018093060.tif 000015